(57)【要約】【課題】貯湯運転中に補助熱源機を併用して給湯する場合に、補助熱源機の運転効率の低下の抑制とヒートポンプ熱源機のＣＯＰの向上が可能な貯湯給湯装置を提供すること。【解決手段】圧縮機と凝縮熱交換器と膨張手段と蒸発熱交換器とを冷媒回路により接続したヒートポンプ熱源機と、ヒートポンプ熱源機により加熱された湯水を貯留する貯湯タンクと、ヒートポンプ熱源機と貯湯タンクを接続する循環回路と、循環回路に配設された循環手段と、貯湯タンクの湯水を再加熱して給湯可能な補助熱源機と、ヒートポンプ熱源機と循環手段を駆動させて行う貯湯運転を制御する制御手段を備えた貯湯給湯装置において、  予め設定された目標貯湯温度の貯湯運転中に補助熱源機で貯湯タンクの湯水を再加熱して給湯する場合には、制御手段が目標貯湯温度を低下させる。【選択図】図３
2019113277.tif 000002
【特許請求の範囲】
【請求項１】
圧縮機と凝縮熱交換器と膨張手段と蒸発熱交換器とを冷媒回路により接続したヒートポンプ熱源機と、前記ヒートポンプ熱源機により加熱された湯水を貯留する貯湯タンクと、前記ヒートポンプ熱源機と前記貯湯タンクを接続する循環回路と、前記循環回路に配設された循環手段と、前記貯湯タンクの湯水を再加熱して給湯可能な補助熱源機と、前記ヒートポンプ熱源機と前記循環手段を駆動させて行う貯湯運転を制御する制御手段を備えた貯湯給湯装置において、
前記制御手段は、予め設定された目標貯湯温度の貯湯運転中に前記補助熱源機で前記貯湯タンクの湯水を再加熱して給湯する場合には、前記目標貯湯温度を低下させることを特徴とする貯湯給湯装置。
【請求項２】
前記制御手段は、前記ヒートポンプ熱源機の駆動条件を維持したまま、前記貯湯タンク内の湯水温度に応じて前記目標貯湯温度を低下させることを特徴とする請求項１に記載の貯湯給湯装置。
【請求項３】
前記制御手段は、前記ヒートポンプ熱源機の駆動条件を維持したまま、給湯設定温度に応じて前記目標貯湯温度を低下させることを特徴とする請求項１に記載の貯湯給湯装置。
【請求項４】
前記制御手段は、前記ヒートポンプ熱源機の駆動条件を維持したまま、給湯流量に応じて前記目標貯湯温度を低下させることを特徴とする請求項１に記載の貯湯給湯装置。
【発明の詳細な説明】
【技術分野】
【０００１】
本発明は、ヒートポンプ熱源機と補助熱源機を備えた貯湯給湯装置に関し、特に貯湯タンクの湯水を再加熱して給湯可能な補助熱源機を備えた貯湯給湯装置に関する。
【背景技術】
【０００２】
従来から、ヒートポンプ熱源機と補助熱源機と貯湯タンクを備え、貯湯タンクに貯留した湯水を給湯等に使用する貯湯給湯装置が広く利用されている。例えば特許文献１のように、貯湯タンクに貯留する湯水を設定した貯湯温度に確実に加熱するために、ヒートポンプ熱源機で加熱した湯水を補助熱源機でさらに加熱して貯湯タンクに貯留可能に構成された貯湯給湯装置が知られている。このような貯湯給湯装置は、ヒートポンプ熱源機と補助熱源機を併用して加熱する場合には、ヒートポンプ熱源機単独で加熱する場合よりも加熱する湯水の流量を増加させてヒートポンプ熱源機の成績係数（ＣＯＰ）を向上させている。
【０００３】
一方、給湯や浴槽の湯張り用の湯水を予め加熱して貯湯タンクに貯留するためのヒートポンプ熱源機と、給湯等の使用時に湯水を加熱する燃焼式の補助熱源機を備えた貯湯給湯装置も広く利用されている。このような貯湯給湯装置は、学習記憶した過去の給湯使用状況に基づいて将来の給湯使用を予測し、この給湯使用の予測に基づいてヒートポンプ熱源機により加熱した湯水を貯湯タンクに貯留する貯湯運転を行い、この貯留した湯水を給湯等に使用する。補助熱源機は、貯湯タンクに貯留した湯水を給湯等に使用できない場合に、貯湯タンクの湯水を再加熱して、又は上水を加熱して給湯等を行う。
【先行技術文献】
【特許文献】
【０００４】
【特許文献１】特公昭６２−２２３８０号公報
【発明の概要】
【発明が解決しようとする課題】
【０００５】
給湯使用の予測に基づく貯湯運転は、給湯設定温度の給湯等が可能な温度であってヒートポンプ熱源機のＣＯＰが高くなるようになるべく低い温度の目標貯湯温度が設定される。目標貯湯温度の貯湯運転を実行しているときにユーザの給湯使用により貯湯タンク内に給湯に使用できる湯水がなくなると、貯湯運転を継続しながら補助熱源機によって貯湯タンク内の湯水を再加熱して給湯する。補助熱源機には、ヒートポンプ熱源機で加熱された湯水と貯湯タンクに供給された上水の混合水が供給される。
【０００６】
補助熱源機は、瞬間的に低温の上水を給湯設定温度に加熱して給湯可能な加熱能力を有しているが、加熱量が少ない場合には加熱能力の一部しか発揮できず運転効率が低くなる。そのため、補助熱源機に供給される湯水の温度が給湯設定温度より低温であって給湯設定温度に近い温度の場合には、補助熱源機の運転効率が低くなり好ましくない。
【０００７】
本発明の目的は、貯湯運転中に補助熱源機を併用して給湯する場合に、補助熱源機の運転効率の低下の抑制とヒートポンプ熱源機のＣＯＰの向上が可能な貯湯給湯装置を提供することである。
【課題を解決するための手段】
【０００８】
請求項１の発明は、圧縮機と凝縮熱交換器と膨張手段と蒸発熱交換器とを冷媒回路により接続したヒートポンプ熱源機と、前記ヒートポンプ熱源機により加熱された湯水を貯留する貯湯タンクと、前記ヒートポンプ熱源機と前記貯湯タンクを接続する循環回路と、前記循環回路に配設された循環手段と、前記貯湯タンクの湯水を再加熱して給湯可能な補助熱源機と、前記ヒートポンプ熱源機と前記循環手段を駆動させて行う貯湯運転を制御する制御手段を備えた貯湯給湯装置において、前記制御手段は、予め設定された目標貯湯温度の貯湯運転中に前記補助熱源機で前記貯湯タンクの湯水を再加熱して給湯する場合には、前記目標貯湯温度を低下させることを特徴としている。
【０００９】
上記構成によれば、予め設定された目標貯湯温度の貯湯運転中に補助熱源機によって貯湯タンクの湯水を再加熱して給湯する場合には目標貯湯温度を低下させるので、補助熱源機に供給する湯水の温度を低くして補助熱源機の運転効率の低下を抑えることができる。また、目標貯湯温度を低下させるので、ヒートポンプ熱源機のＣＯＰも向上可能である。
【００１０】
請求項２の発明は、請求項１において、前記制御手段は、前記ヒートポンプ熱源機の駆動条件を維持したまま、前記貯湯タンク内の湯水温度に応じて前記目標貯湯温度を低下させることを特徴としている。請求項３の発明は、請求項１において、前記制御手段は、前記ヒートポンプ熱源機の駆動条件を維持したまま、給湯設定温度に応じて前記目標貯湯温度を低下させることを特徴としている。請求項４の発明は、請求項１において、前記制御手段は、前記ヒートポンプ熱源機の駆動条件を維持したまま、給湯流量に応じて前記目標貯湯温度を低下させることを特徴としている。
【００１１】
上記構成によれば、目標貯湯温度を貯湯タンク内の湯水温度、給湯設定温度又は給湯流量に応じて低下させるので、補助熱源機に供給する湯水の温度を低くして補助熱源機の運転効率の低下を抑えることができると共に、ヒートポンプ熱源機のＣＯＰを向上可能である。また、ヒートポンプ熱源機の駆動条件を変更しないので、駆動条件の変更後ヒートポンプサイクルが安定するまでのヒートポンプ熱源機のＣＯＰの低下を回避できる。
【発明の効果】
【００１２】
本発明の貯湯給湯装置によれば、貯湯運転中に補助熱源機を併用して給湯する場合に、補助熱源機の運転効率の低下の抑制とヒートポンプ熱源機のＣＯＰの向上が可能である。
【図面の簡単な説明】
【００１３】
【図１】本発明の実施例に係る貯湯給湯装置を示す図である。
【図２】貯湯運転制御を示すフローチャートである。
【図３】貯湯運転中の目標貯湯温度の設定制御を示すフローチャートである。
【図４】貯湯タンク上部温度に応じた目標貯湯温度の設定の１例を示す図である。
【図５】給湯設定温度に応じた目標貯湯温度の設定の１例を示す図である。
【図６】給湯流量に応じた目標貯湯温度の設定の１例を示す図である。
【発明を実施するための形態】
【００１４】
以下、本発明を実施するための形態について実施例に基づいて説明する。
【実施例】
【００１５】
最初に、本発明の貯湯給湯装置１の全体構成について、図１に基づいて説明する。
貯湯給湯装置１は、ヒートポンプ熱源機２と、貯湯給湯ユニット３を備えている。貯湯給湯ユニット３は、燃焼式の補助熱源機４と、ヒートポンプ熱源機２により加熱された湯水を貯留する貯湯タンク５と、給湯使用状況に基づいて給湯使用予測を行うと共に予測した給湯使用量に相当する熱量（必要熱量）を給湯使用までに貯湯タンク５に貯留するように貯湯運転を制御する制御手段である制御部７等を備えている。
【００１６】
ヒートポンプ熱源機２は、貯湯運転時には外気から吸熱した熱により湯水を加熱して貯湯タンク５に貯留する。貯湯運転により貯湯タンク５に貯留された湯水が給湯や浴槽１９の湯張りに使用される。貯湯タンク５の湯水を給湯設定温度で給湯できない場合には、補助熱源機４において燃料を燃焼させて加熱した湯水を給湯する。尚、給湯設定温度は操作端末（図示略）からユーザが所望の温度に設定可能であり、通常は４０℃程度である。
【００１７】
貯湯タンク５の上部には、貯湯タンク５に貯留した湯水を出湯するための出湯通路１１が接続されている。出湯通路１１には、出湯通路１１を流通して湯水混合弁１２に供給される湯水の出湯温度を検知するための出湯温度センサ１１ａが配設されている。また、貯湯タンク５の下部には、貯湯タンク５に上水源から上水を供給するための給水通路１３が接続されている。給水通路１３には給水温度を検知するための給水温度センサ１３ａが配設されている。
【００１８】
給水バイパス通路１４は、給水通路１３から分岐して湯水混合弁１２に接続されている。湯水混合弁１２は、給湯設定温度の給湯のために出湯通路１１の湯水と給水バイパス通路１４の上水との混合比率を調整して混合する。湯水混合弁１２には給湯通路１６が接続され、湯水混合弁１２で混合されて給湯設定温度に調整された湯水は、給湯通路１６を流通して図示外の給湯栓等に給湯可能である。
【００１９】
また、湯水混合弁１２で混合された湯水は、給湯通路１６から分岐して追焚回路１７に接続する湯張り通路１８を介して浴槽１９に湯張り可能である。給湯通路１６には、給湯温度を検知するための給湯温度センサ１６ａと給湯流量を検知する給湯流量センサ１６ｂが配設され、湯張り通路１８は湯張りのときに開弁する開閉弁１８ａを備えている。
【００２０】
貯湯タンク５の下部にはヒートポンプ熱源機２に湯水を供給する上流加熱通路２１ａが接続され、ヒートポンプ熱源機２で加熱された湯水を貯湯タンク５に供給する下流加熱通路２１ｂが貯湯タンク５の上部に接続されて、貯湯タンク５とヒートポンプ熱源機２の間で循環ポンプ２２（循環手段）により湯水が循環可能な循環加熱回路２１（循環回路）が形成されている。貯湯運転では、下流加熱通路２１ｂに配設された温度センサ２１ｃの検知温度が、制御部７が設定した目標貯湯温度となるように制御される。
【００２１】
貯湯タンク５の外周には、貯留された湯水の温度を検知する複数の貯湯温度センサ５ａ〜５ｅが上下方向に所定の間隔を空けて配設されている。貯湯温度センサ５ａ〜５ｅ及び貯湯タンク５は、貯留された湯水の放熱を低減する図示外の保温材により覆われている。
【００２２】
貯湯タンク５の湯水を補助熱源機４で加熱するための補助加熱通路２３が、出湯通路１１から分岐されて補助熱源機４に接続されている。補助熱源機４で加熱した湯水を出湯するための補助出湯通路２４は、補助加熱通路２３の分岐部より下流側の出湯通路１１に接続されている。補助出湯通路２４に配設された調整弁２５は、補助出湯通路２４から出湯通路１１に供給される湯水量を調整する。補助加熱通路２３には、三方弁２６と補助熱源機４に湯水を送るためのポンプ２７が配設されている。
【００２３】
補助出湯通路２４から分岐した熱交換器通路２８は、三方弁２６に接続されている。三方弁２６は、補助熱源機４に貯湯タンク５の湯水又は熱交換器通路２８の湯水を供給可能となるように切換えられる。熱交換器通路２８には熱交換器２８ａと開閉弁２８ｂが配設されている。この熱交換器２８ａは、追焚ポンプ２９の作動により追焚回路１７を流れる浴槽１９の湯水を補助熱源機４で加熱した湯水との熱交換により加熱する追焚運転に使用される。また、熱交換器通路２８には、給水通路１３から分岐した分岐通路部１３ｂが熱交換器通路２８に上水を供給可能なように接続されている。
【００２４】
ヒートポンプ熱源機２は、圧縮機３２、凝縮熱交換器３３、膨張弁３４（膨張手段）、蒸発熱交換器３５を冷媒回路３６により接続して構成されている。このヒートポンプ熱源機２は、冷媒回路３６に封入された冷媒を圧縮機３２で圧縮して高温にし、循環ポンプ２２により循環加熱回路２１を流通する湯水を凝縮熱交換器３３において高温の冷媒との熱交換により加熱する。熱交換後の冷媒は、膨張弁３４により膨張して外気より低温になり、蒸発熱交換器３５で外気から吸熱した後、再び圧縮機３２に導入される。
【００２５】
蒸発熱交換器３５は外気温度を検知する外気温度センサ３５ａと送風機３５ｂを備えている。また、ヒートポンプ熱源機２は、圧縮機３２、膨張弁３４、送風機３５ｂ等を制御するヒートポンプ制御部３７を備えている。ヒートポンプ制御部３７は、貯湯給湯装置１の主たる制御手段である制御部７に通信可能に接続され、制御部７の指令に従ってヒートポンプ熱源機２を制御する。尚、ヒートポンプ熱源機２は起動後や駆動条件変更後にヒートポンプサイクルが安定するまで、通常１０分程度の時間を要する。
【００２６】
制御部７は、各種センサの検知信号等に基づいて給湯等の制御を行うと共に、給湯使用量や給湯使用時刻、その時の各種温度等の給湯使用状況を学習記憶している。そして、この給湯使用状況に基づいて周期的（例えば５分毎）に将来の給湯使用予測を行い、この給湯使用予測に基づいて予測した給湯使用時刻までに必要熱量の貯留が完了するように貯湯運転を制御する。この制御を図２のフローチャートに基づいて説明する。図中のＳｉ（ｉ＝１，２，・・・）はステップを表す。
【００２７】
最初にＳ１において、学習記憶した給湯使用状況に基づいて将来の給湯使用予測を行ってＳ２に進む。次にＳ２において、給湯使用予測に基づいて貯留する必要熱量、必要熱量を貯留する目標貯湯温度Ｔ、必要熱量を給湯使用時刻までに貯留するための貯湯運転開始時刻等を含む貯湯運転条件を設定してＳ３に進む。尚、通常、目標貯湯温度Ｔは４５℃〜８０℃程度の温度に設定される場合が多い。
【００２８】
次にＳ３において、設定した貯湯運転開始時刻になったか否か判定し、判定がＹｅｓの場合はＳ４に進み、判定がＮｏの場合はＳ１に戻る。
【００２９】
次にＳ４において、貯湯運転条件に基づく貯湯運転を実行してＳ５に進む。そしてＳ５において必要熱量の貯湯が完了したか否か判定し、判定がＮｏの場合はＳ４に戻って貯湯運転の実行を継続し、判定がＹｅｓの場合には貯湯運転を終了してリターンする。
【００３０】
この貯湯運転中に給湯栓等が開けられて給湯が開始されると、貯湯運転によって貯湯タンク５に貯留されている湯水を給湯に使用し、やがて貯湯運転で貯留された湯水による給湯設定温度の給湯ができなくなる場合がある。この場合、ヒートポンプ熱源機２で加熱した湯水と貯湯タンク５に供給された上水を貯湯タンク５の上部から一緒に補助熱源機４に供給し、補助熱源機４で再加熱して給湯する。このとき、貯湯タンク５の上部の湯水温度が給湯設定温度に近い温度の場合には、補助熱源機４による加熱量が少なくなるため補助熱源機４の運転効率が低下する。
【００３１】
このような補助熱源機４の運転効率の低下を抑えるため、貯湯運転中に貯湯タンク５の湯水を補助熱源機４で再加熱して給湯する場合に、制御部７は給湯使用予測に基づき設定した目標貯湯温度Ｔより低温の目標貯湯温度Ｔ’を設定する。この貯湯運転中の目標貯湯温度の設定制御について図３のフローチャートに基づいて説明する。図中のＳｊ（ｊ＝１１，１２，・・・）はステップを表す。
【００３２】
Ｓ１１において、給湯流量センサ１６ｂが最低作動流量以上の流量を検知したか否かに基づいて、給湯が開始されたか否か判定する。判定がＹｅｓの場合はＳ１２に進み、判定がＮｏの場合はリターンする。
【００３３】
次にＳ１２において、貯湯温度センサ５ｄ又は貯湯温度センサ５ｅが検知する貯湯タンク５の上部の湯水温度（貯湯タンク上部温度）が給湯設定温度＋α℃以下であるか判定する。αは湯水混合弁１２による温度調整等を考慮して１℃〜５℃程度に設定される。判定がＹｅｓの場合は補助熱源機４による再加熱が必要なのでＳ１３に進み、判定がＮｏの場合は貯湯タンク５の湯水を給湯に使用できるのでリターンする。
【００３４】
次にＳ１３において、補助熱源機４により貯湯タンク５の湯水を再加熱してＳ１４に進む。補助熱源機４により再加熱された湯水は給湯される。そしてＳ１４において、目標貯湯温度Ｔより低温の目標貯湯温度Ｔ’を設定してＳ１５に進む。例えば給湯設定温度が４０℃の場合に補助熱源機４の運転効率が低下しない加熱量を確保するため、補助熱源機４に供給する湯水が３０℃以下の温度となるように、貯湯タンク５の上部の湯水温度、給湯設定温度又は給湯流量に応じて低くした目標貯湯温度Ｔ’を設定する。
【００３５】
次にＳ１５において、ヒートポンプ熱源機２で加熱した湯水の温度がＳ１４で設定した目標貯湯温度Ｔ’になるように貯湯運転を制御する。詳しくは、圧縮機３２の回転数や膨張弁３４の開度等のヒートポンプ熱源機２の駆動条件を維持したまま、目標貯湯温度Ｔのときよりもヒートポンプ熱源機２に供給する湯水の流量を増加させるように循環ポンプ２２の回転数を設定する。こうしてヒートポンプサイクルが安定状態のヒートポンプ熱源機２で加熱した湯水の温度がＳ１４で設定した目標貯湯温度Ｔ’となるように制御してＳ１６に進む。
【００３６】
次にＳ１６において、給湯流量センサ１６ｂの検知流量が最低作動流量未満か否かに基づいて給湯が終了したか否か判定する。判定がＹｅｓの場合はＳ１７に進み、判定がＮｏの場合はＳ１２に戻る。
【００３７】
次にＳ１７において、給湯が終了したので補助熱源機４を停止させてＳ１８に進み、Ｓ１８において、Ｓ１４で設定した目標貯湯温度Ｔ’を元の目標貯湯温度Ｔに戻してリターンする。目標貯湯温度Ｔの貯湯運転は、必要熱量の貯湯完了まで継続され、再び補助熱源機４を併用する給湯があればこの目標貯湯温度の設定制御が行われる。
【００３８】
こうして貯湯運転中に補助熱源機４を併用する給湯がある場合に、給湯使用予測に基づく目標貯湯温度Ｔより低温の目標貯湯温度Ｔ’を設定することにより、補助熱源機４の加熱量を確保して運転効率の低下を抑え、ヒートポンプ熱源機２のＣＯＰを向上させる。また、ヒートポンプ熱源機２の駆動条件を変更しないことにより、駆動条件の変更後ヒートポンプサイクルが安定するまでのヒートポンプ熱源機２のＣＯＰの低下を回避している。その上、ヒートポンプ熱源機２の駆動条件を変更しないので、目標貯湯温度を変えたときのヒートポンプ熱源機２で加熱した湯水温度の追従性も向上する。
【００３９】
図３のＳ１４で給湯使用予測に基づき設定した目標貯湯温度Ｔより低い目標貯湯温度Ｔ’を貯湯タンク５の上部の湯水温度に応じて設定する場合には、制御部７に予め記憶させた例えば図４に示すような実験等に基づいて設定した温度設定線Ｌ１に基づいて設定する。例えば給湯設定温度が４０℃、貯湯タンク５の上部の湯水温度が給湯設定温度＋α℃より低温且つ給湯設定温度に近い３５℃以上のときに、目標貯湯温度Ｔ’を２５℃に設定して補助熱源機４の加熱量を確保する。
【００４０】
貯湯タンク５の上部の湯水温度が３５℃〜２５℃の場合は、湯水温度が高い程目標貯湯温度Ｔ’が低くなるように２５℃〜３５℃の範囲内の温度に設定する。貯湯タンク５の上部の湯水温度が２５℃以下のときには、補助熱源機４の加熱量が多いので、ヒートポンプ熱源機２により加熱した湯水を有効に利用できるように、目標貯湯温度Ｔ’を補助熱源機４の運転効率が低下しない３５℃に設定する。
【００４１】
給湯設定温度に応じて目標貯湯温度Ｔ’を設定する場合は、補助熱源機４の加熱量を一定以上確保して運転効率の低下を抑えるために、制御部７に予め記憶させた例えば図５に示すような実験等により設定した温度設定線Ｌ２に基づいて設定する。例えば給湯設定温度が３０℃〜４０℃のときに給湯設定温度に比例するように目標貯湯温度Ｔ’を２５℃〜３５℃に設定し、給湯設定温度が４０℃〜６０℃のときに目標貯湯温度Ｔ’を３５℃に設定する。給湯設定温度と補助熱源機４に供給する貯湯タンク５の湯水の温度との温度差を一定以上確保して、補助熱源機４の加熱量を確保している。また、直線Ｌ２’で示すように、給湯設定温度の設定可能範囲内で給湯設定温度に比例するように目標貯湯温度Ｔ’を設定することもできる。
【００４２】
給湯流量に応じて目標貯湯温度Ｔ’を設定する場合は、補助熱源機４の加熱量を一定以上確保して運転効率の低下を抑えるために、制御部７に予め記憶させた例えば図６に示すような実験等により設定した温度設定線Ｌ３に基づいて設定する。例えば給湯設定温度が４０℃に設定されている場合に、給湯流量が毎分１０Ｌ未満では給湯流量に比例するように目標貯湯温度Ｔ’を２５℃〜３５℃に設定し、給湯流量が毎分１０Ｌ以上では目標貯湯温度Ｔ’を３５℃に設定して、補助熱源機４の加熱量を確保している。また、直線Ｌ３’で示すように、給湯可能な給湯流量の範囲内で給湯流量に比例するように目標貯湯温度Ｔ’を設定することもできる。
【００４３】
次に、本発明の貯湯給湯装置１の作用、効果について説明する。
給湯使用の予測に基づいて設定された目標貯湯温度Ｔの貯湯運転中に、補助熱源機４によって貯湯タンク５の湯水を再加熱して給湯する場合には、制御部７が目標貯湯温度Ｔを目標貯湯温度Ｔ’に低下させる。従って、補助熱源機４に供給する貯湯タンク５の湯水の温度を低くして補助熱源機４の運転効率の低下を抑えることができると共に、ヒートポンプ熱源機２のＣＯＰを向上させることができる。
【００４４】
また、ヒートポンプ熱源機２の駆動条件を維持したまま、給湯使用の予測に基づく目標貯湯温度Ｔを貯湯タンク５内の湯水温度、給湯設定温度又は給湯流量に応じて目標貯湯温度Ｔ’に低下させる。従って、補助熱源機４の運転効率の低下抑制とヒートポンプ熱源機２のＣＯＰ向上が可能であり、ヒートポンプ熱源機２の駆動条件を変更しないので駆動条件の変更後ヒートポンプサイクルが安定するまでのヒートポンプ熱源機２のＣＯＰの低下を回避できる。
【００４５】
上記実施例に記載の各種温度や流量は例示であり、上記の値に限定されるものではない。その他、当業者であれば、本発明の趣旨を逸脱することなく上記実施例に種々の変更を付加した形態で実施可能であり、本発明はそのような変更形態を包含するものである。
【符号の説明】
【００４６】
１      ：貯湯給湯装置
２      ：ヒートポンプ熱源機
４      ：補助熱源機
５      ：貯湯タンク
５ａ〜５ｅ：貯湯温度センサ
７      ：制御部（制御手段）
１１    ：出湯通路
１３    ：給水通路
１６    ：給湯通路
１６ｂ  ：給湯流量センサ
２１    ：循環加熱回路（循環回路）
２２    ：循環ポンプ（循環手段）
２３    ：補助加熱通路
２４    ：補助出湯通路
３２    ：圧縮機
３３    ：凝縮熱交換器
３４    ：膨張弁（膨張手段）
３５    ：蒸発熱交換器
３６    ：冷媒回路
【図１】
2019113277.tif 000003
【図２】
2019113277.tif 000004
【図３】
2019113277.tif 000005
【図４】
2019113277.tif 000006
【図５】
2019113277.tif 000007
【図６】
2019113277.tif 000008